(57)【要約】【目的】プラスチック製品に付着した塵埃を好適に除去しながら、除去された塵埃が周囲に拡散することを防止することのできる除塵装置を提供する。【構成】塵埃が付着した物品Ｗを出し入れするための開口部４を有して内部に除塵室Ｒ１を形成する隔離カバー３と、開口部４より隔離カバー３内に入れられた物品Ｗを検出するセンサ１６と、このセンサにより隔離カバー３内の物品Ｗが検出されたときに該物品に向かって圧縮空気を吹き付けるエア噴射部５と、このエア噴射部からの圧縮空気の吹き付けにより物品から除去された塵埃を回収する集塵部２とを具備して構成される除塵装置である。【選択図】図２
2005199169.tif 000002
【特許請求の範囲】
【請求項１】
塵埃が付着した物品を出し入れするための開口部を有して内部に除塵室を形成する隔離カバーと、前記開口部より隔離カバー内に入れられた物品を検出するセンサと、このセンサにより隔離カバー内の物品が検出されたときに該物品に向かって圧縮空気を吹き付けるエア噴射部と、このエア噴射部からの圧縮空気の吹き付けにより物品から除去された塵埃を回収する集塵部とを具備して構成される除塵装置。
【請求項２】
集塵部は、隔離カバー内の除塵室に連通する集塵室と、この集塵室内に除塵室内の塵埃を含んだ空気を引き込むための吸気手段とを有して成り、前記集塵室内には除塵室から引き込まれた空気中に含まれる塵埃を捕集するための袋状の集塵フィルターが収容可能とされている請求項１記載の除塵装置。
【発明の詳細な説明】
【技術分野】
【０００１】
本発明は、帯電したプラスチック製品などに付着する塵埃を除去するのに用いて好適な除塵装置に関する。
【背景技術】
【０００２】
従来、各種製品の表面に印刷や塗装を施すことが一般に広く行われているが、プラスチック製品のような帯電性の強い部材ではその表面に空気中の塵埃が付着し易く、塵埃が付着したままの状態で印刷や塗装が行われると、作業後に塗膜が剥離してしまったり、仕上面が塵埃を含んで粗くなったりするなどの不良を発生する。
【０００３】
このため、プラスチック製品などの表面にオフセット印刷や塗装を施す場合には、圧縮空気を吹き付けるなどして予め塵埃の除去が行われる。
【０００４】
係る除塵装置として、コロナ放電により空気をイオン化するイオン発生器をエア噴出口の近傍に設け、そのエア噴出口からイオン化された圧縮空気が噴射されるようにしたものが知られる（例えば、特許文献１）。
【０００５】
【特許文献１】実開平７−１３４７９号公報
【発明の開示】
【発明が解決しようとする課題】
【０００６】
然し乍ら、特許文献１に記載されるような除塵装置によれば、塵埃が付着した物品の除電を行って僅かな風量により塵埃を吹き飛ばすことができるという効果を有するものの、吹き飛ばされた塵埃が作業場内に飛散して浮遊し、これが作業場に置かれる製品などに再付着して印刷や塗装不良を惹起しかねず、そればかりか作業環境の悪化により作業者の健康を害する虞れもある。
【０００７】
本発明は以上のような事情に鑑みて成されたものであり、その目的はプラスチック製品に付着した塵埃を好適に除去しながら、除去された塵埃が周囲に拡散することを防止することのできる除塵装置を提供することにある。
【課題を解決するための手段】
【０００８】
上記目的を達成するため、本発明に係る除塵装置は、塵埃が付着した物品を出し入れするための開口部を有して内部に除塵室を形成する隔離カバーと、前記開口部より隔離カバー内に入れられた物品を検出するセンサと、このセンサにより隔離カバー内の物品が検出されたときに該物品に向かって圧縮空気を吹き付けるエア噴射部と、このエア噴射部からの圧縮空気の吹き付けにより物品から除去された塵埃を回収する集塵部とを具備して構成されることを特徴とする。
【０００９】
又、上記のような除塵装置において、集塵部は、除塵室に連通する集塵室と、この集塵室内に除塵室内の塵埃を含んだ空気を引き込むための吸気手段とを有して成り、前記集塵室内には除塵室から引き込まれた空気中に含まれる塵埃を捕集するための袋状の集塵フィルターが収容可能とされていることを特徴とする。
【発明の効果】
【００１０】
本発明に係る除塵装置によれば、物品の表面に付着した塵埃を圧縮空気により吹き飛ばして除去できるほか、隔離カバーにより除去した塵埃の飛散が抑制され、しかも塵埃を回収する集塵部を備えることから塵埃の飛散／拡散を完全に防止することができる。このため、一度除去した塵埃が物品などに再付着せず、クリーンな作業環境にして作業者の健康を害する虞れも払拭することができる。
【００１１】
又、隔離カバー内に物品が入れたれたことをセンサが感知、検出したとき物品に向かって圧縮空気が自動的に吹き付けられるようにしていることから、除塵作業の効率が大幅にアップするという効果がある。
【発明を実施するための最良の形態】
【００１２】
以下、本発明を図面に基づいて詳しく説明する。先ず、図１は本発明に係る除塵装置の好適な態様を示した斜視図である。図１において、１は円筒形をした装置本体であり、その下部は袋状の集塵フィルタＦを収容可能な集塵部２とされ、その上部には除塵室Ｒ１を形成する隔離カバー３が設けられる。
【００１３】
隔離カバー３は金属やプラスチックといった硬質材料から成る上面の閉鎖された円筒形のフードであり、その前部壁面には除塵対象とする塵埃の付着した物品を出し入れするための開口部４が形成される。
【００１４】
５は除塵室Ｒ１内に入れられた物品に向かって圧縮空気を吹き付けるためのエア噴射部であり、このエア噴射部５は隔離カバー３内の除塵室Ｒ１に圧縮空気を導くためのエアホース６を備える。本例において、エアホース６の一端側は管継手７を介して３系統に分岐され、その各分岐管６Ａ，６Ｂ，６Ｃが隔離カバー３の側壁に接続されると共に、その各先端は除塵室Ｒ１の中心部に向かって圧縮空気を噴出するための噴気孔として除塵室Ｒ１内に開口される。
【００１５】
そして、係る除塵装置によれば、隔離カバーの開口部４から除塵室Ｒ１内に除塵対象とする物品を入れると、エアホースの分岐管６Ａ〜６Ｃから除塵室Ｒ１内の物品に向かって圧縮空気が吹き付けられ、その圧縮空気により物品の表面に付着する塵埃を除去することができる。
【００１６】
尚、物品から除去された塵埃は隔離カバー３により除塵室Ｒ１内に浮遊せしめられ、これが集塵部２で回収されることにより周囲への拡散を防止される。又、図１において、８は集塵部の下端に接続する伸縮自在な支持脚であり、この支持脚８は集塵部２の下端に固定される上部管８Ａと該上部管に嵌合する下部管８Ｂから成り、下部管８Ｂの下端には円形の座板９が固定され、上部管８Ａと下部管８Ｂはロックボルト１０により所望の長さで固定できるようになっている。
【００１７】
次に、図２は装置本体の内部構造を示す。この図で明らかなように、集塵部２はその内部に排気口１１をもつ集塵室Ｒ２を形成する。集塵室Ｒ２は吸気口を形成する多孔板１２（本例においてパンチングメタル）を介して除塵室Ｒ１と上下方向で連通され、その内部には除塵室Ｒ１内の塵埃を含んだ空気を引き込むための吸気用ファン１３（本例においてターボファン）と、この吸気用ファン１３により引き込まれた空気中に含まれる塵埃を捕集するための上記集塵フィルタＦとが設けられる。
【００１８】
このうち、吸気用ファン１３は通電線１４を介して商用電源１５に接続され、その商用電源１５から供給される電力により回転駆動する。
【００１９】
尚、集塵フィルタＦは、通気性を有して塵埃の通過を許容しないものであればよく、これには紙、不織布、布帛、若しくは金属のフィルタを利用することができる。又、係る集塵フィルタＦ内に除塵室Ｒ１内の空気を導くための吸気手段として、上記のような吸気用ファン１３に代えて集塵室Ｒ２に真空ポンプを接続するなどしてもよい。
【００２０】
一方、図２において、１６は除塵室Ｒ１に入れられた物品を検出するためのセンサであり、このセンサ１６は隔離カバー３の側壁を貫通して固定される。尚、センサ１６は物体検出機能を有していればよく、これには反射形光センサをはじめとする非接触型のほか、マイクロスイッチなど各種接触型のセンサを用いることができる。そして、係るセンサ１６は信号線１７を介して制御部１８に接続され、その制御部１８は信号線１９により電磁弁２０と接続される。
【００２１】
電磁弁２０はエアホース６の中途に介在されて圧縮空気の流路を開閉するものであり、その開閉動作はセンサ１６による検出信号に基づいて行われる。尚、エアホース６の一端はエアコンプレッサ２１（圧縮空気供給源）に接続され、そのエアコンプレッサ２１により得た圧縮空気が電磁弁２０を介して隔離カバー３内に供給される構成としてある。
【００２２】
特に、図３から明らかなように、エアホースの分岐管６Ａ〜６Ｃは隔離カバー３に放射状にして接続され、その各先端から除塵室Ｒ１の中心部に向かって図示矢印のように圧縮空気が噴射されるようにしてある。
【００２３】
尚、圧縮空気の噴射圧を高めるために、隔離カバー３に噴射ノズルを取り付け、これにエアホースの分岐管６Ａ〜６Ｃを接続するようにしてもよい。又、エアホース６にコロナ放電により空気をイオン化するイオン発生器を介在させるようにしてもよく、これにより除塵室Ｒ１内に噴射される圧縮空気を事前にイオン化し、而して除塵室Ｒ１内における帯電した物品Ｗを除電して除塵効果を上げることができる。
【００２４】
ここで、以上のように構成される除塵装置の作用を説明する。先ず、表面に塵埃が付着した物品Ｗを開口部４から除塵室Ｒ１内に入れると、センサ１６がこれを検出して物品検出信号を出力する。そして、センサ１６から物品検出信号を得た制御部１８は、電磁弁２０に対して制御信号を発信し、これによって電磁弁２０の開放動作が行われる。
【００２５】
而して、エアホース６を通じてエアコンプレッサ２１から除塵室Ｒ１内に圧縮空気が供給され、これが分岐管６Ａ〜６Ｃの先端噴気孔より物品Ｗに向かって三方から吹き付けられる。これにより、物品Ｗの表面に存在する塵埃は吹き飛ばされ、その塵埃は開口部４から排出される事なく吸気用ファン１３による吸気作用により集塵室Ｒ２内に引き込まれ、集塵フィルタＦにより係る塵埃が捕集された後、塵埃の取り除かれた空気のみが集塵フィルタＦを通過して排気口１１から外部に排出される。
【００２６】
そして、所要時間経過後、除塵室Ｒ１から物品Ｗを取り出すと、センサ１６から制御部１８に対する信号入力が無信号状態となることにより電磁弁２０が閉じ、圧縮空気の供給が遮断される。つまり、本例によれば除塵室Ｒ１内に物品Ｗが存在する間、これに向かって圧縮空気の吹き付けが継続して行われるが、センサ１６により物品Ｗが検出されてから一定時間経過後に電磁弁２０を閉じて圧縮空気の供給が自動停止されるようにすることもできる。
【００２７】
又、本例によれば、吸気用ファン１３は図示せぬスイッチによりＯＮ／ＯＦＦ操作が行われ、通常は除塵室Ｒ１内に物品Ｗが存在しない場合も回転され続けるが、これを制御部１８に接続して電磁弁２０の開閉動作と吸気用ファン１３の駆動／停止動作が連動するようにすることもできる。つまり、センサ１６により物品Ｗが検出されたとき、圧縮空気の供給と吸気用ファン１３の駆動が行われ、物品Ｗの非検出に際して圧縮空気の遮断と吸気用ファン１３の停止動作が同時に行われるようにしてもよい。
【図面の簡単な説明】
【００２８】
【図１】本発明に係る除塵装置を示す斜視概略図
【図２】同除塵装置の内部構造を示す断面図
【図３】除塵室内の物品に向かって圧縮空気を吹き付けられる状態を示す説明図
【符号の説明】
【００２９】
１  装置本体
２  集塵部
３  隔離カバー
４  開口部
５  エア噴射部
６  エアホース
６Ａ〜６Ｃ  分岐管
１３  吸気用ファン（吸気手段）
１６  センサ
２０  電磁弁
２１  エアコンプレッサ
【図１】
2005199169.tif 000003
【図２】
2005199169.tif 000004
【図３】
2005199169.tif 000005